(57)【要約】【課題】ソーラーパネルの発電量を確保できる時計を提供する。【解決手段】時計は、透光性を有する文字板と、文字板を透過する光を遮り、第１機能を表示する補助時刻情報表示部２２Ｃを囲う第３リング部材２８と、文字板を透過する光を遮り、第２機能を表示する機能選択情報表示部２２Ａを囲う第１リング部材２５と、文字板を透過した光を受光するソーラーパネルであって、分割線Ｌ４および分割線Ｌ５により分割された複数のソーラーセルを有し、複数のソーラーセルは分割線Ｌ４および分割線Ｌ５により領域を定められたソーラーセル４２Ｄを含み、分割線Ｌ５の一部は、第３リング部材２８の延びる方向に沿って設けられ、かつ軸方向から見て第３リング部材２８と重なるように設けられ、分割線Ｌ４の一部は、第１リング部材２５の延びる方向に沿って設けられ、かつ軸方向から見て第１リング部材２５と重なるように設けられた、ソーラーパネル４０と、を備える。【選択図】図２
2019020267.tif 000002
【特許請求の範囲】
【請求項１】
透光性を有する文字板と、
前記文字板を透過する光を遮り、第１機能を表示する第１表示部の少なくとも一部を囲う第１遮光部と、
前記文字板を透過する光を遮り、第２機能を表示する第２表示部の少なくとも一部を囲う第２遮光部と、
前記文字板を透過した光を受光する発電部であって、少なくとも第１分割線および第２分割線により分割された複数のソーラーセルを有し、前記複数のソーラーセルは前記第１分割線および前記第２分割線により領域を定められた第１セルを含み、前記第１分割線の少なくとも一部は前記第１遮光部の延びる方向に沿って設けられ、かつ受光方向から見て前記第１遮光部と重なるように設けられ、前記第２分割線の少なくとも一部は前記第２遮光部の延びる方向に沿って設けられ、かつ受光方向から見て前記第２遮光部と重なるように設けられた、発電部と、
を備えることを特徴とする時計。
【請求項２】
前記複数のソーラーセルは、前記第２分割線を挟んで前記第１セルとは反対側に設けられ前記第２分割線により領域を定められた第２セルを含み、
前記第１分割線は、前記第１セルに向けて突出する第１凸部を備え、
前記第２分割線は、前記第２セルに向けて突出する第２凸部を備える、
ことを特徴とする請求項１に記載の時計。
【請求項３】
前記第２凸部は、前記第２表示部を１８０°以上囲むように、受光方向から見て前記第２遮光部と重なるように設けられている、
ことを特徴とする請求項２に記載の時計。
【請求項４】
前記第１分割線および前記第２分割線の少なくとも一方は、受光方向から見て鋭角に曲がる曲げ部を有する、
ことを特徴とする請求項１から３のいずれか１項に記載の時計。
【請求項５】
前記文字板を通る光を遮り、第３機能を表示する第３表示部の少なくとも一部を囲う第３遮光部を備え、
前記第２分割線の少なくとも一部は、前記第３遮光部の延びる方向に沿って設けられ、かつ受光方向から見て前記第３遮光部と重なるように設けられている、
ことを特徴とする請求項１から４のいずれか１項に記載の時計。
【請求項６】
前記第１遮光部、前記第２遮光部、および前記文字板を通る光を遮り第３機能を表示する第３表示部の少なくとも一部を囲う第３遮光部は、前記文字板の半分の領域に密集して配置される、
ことを特徴とする請求項１から５のいずれか１項に記載の時計。
【請求項７】
前記第１分割線および前記第２分割線は、前記文字板の中心部と外周部とを結ぶように連続している、
ことを特徴とする請求項１から４のいずれか１項に記載の時計。
【請求項８】
前記複数のソーラーセルは、前記第２分割線を挟んで前記第１セルとは反対側に設けられ前記第２分割線により領域を定められた第２セルを含み、
前記第１セルと前記第２セルとを電気的に接続する接続部をさらに備え、
前記文字板は、中心部を通る軸回りに回転する指針と、時を表示する目盛りと、により時刻を表示可能であり、
前記接続部は、前記目盛りと重ならないように配置されている、
ことを特徴とする請求項１から７のいずれか１項に記載の時計。
【請求項９】
前記第１分割線および前記第２分割線のうち少なくともいずれか一方は、
前記第１セルに向けて突出する凸部と、
前記凸部を除く部分であって、前記文字板の中心部を中心とする放射状に延在する直線部と、
を備える、
ことを特徴とする請求項１から８のいずれか１項に記載の時計。
【請求項１０】
前記発電部は、
前記ソーラーセルが形成される可撓性を有する可撓基板と、
前記第１セルの領域を受光方向から見た前記文字板の中心側から定めるとともに、前記第１分割線と前記第２分割線とを結合する分割線結合部と、
を備える、
ことを特徴とする請求項１から９のいずれか１項に記載の時計。
【請求項１１】
前記第１機能および前記第２機能のうち少なくともいずれか一方は、時計外部との通信に関する機能を含む、
ことを特徴とする請求項１から１０のいずれか１項に記載の時計。
【発明の詳細な説明】
【技術分野】
【０００１】
本発明は、時計に関するものである。
【背景技術】
【０００２】
従来、外部から光を受けて発電可能なソーラーパネルを備えた時計がある。この種の時計では、ソーラーパネルで発電された電力により二次電池を充電し、二次電池に充電された電力を用いてモータを制御し、各種情報を表示する指針を駆動する。
【０００３】
時計に設けられたソーラーパネルは、複数のソーラーセルを有する場合がある。例えば、特許文献１には、直線状に延びる分割線によって分割された複数のソーラーセルを有するソーラーパネルが開示されている。また、特許文献２には、一部が湾曲する分割線によって分割された複数のソーラーセルを有するソーラーパネルが開示されている。また、特許文献３には、屈曲した分割線によって、液晶表示のための開口部を避けるように分割された複数のソーラーセルを有するソーラーパネルが開示されている。また、特許文献４には、渦巻き形状に延びる分割線により分割された複数のソーラーセルを有するソーラーパネルが開示されている。
【０００４】
複数のソーラーセルを直列接続した場合、ソーラーパネルの出力電圧は、各セルの出力電圧の総計となる。一方で、ソーラーパネルの出力電流は、各ソーラーセル単体の出力電流のうち最も小さい値と同じになる。このため、ソーラーパネルの発電効率を向上させるためには、各ソーラーセルの受光面積をより大きく確保して各ソーラーセルの出力電流を大きくするとともに、各ソーラーセル間の受光面積のばらつきを抑制して各ソーラーセル間の出力電流を平準化する必要がある。
【先行技術文献】
【特許文献】
【０００５】
【特許文献１】特開２００２−１２２６８２号公報
【特許文献２】特開２０１５−６０９０７号公報
【特許文献３】特許第５２３８４３３号公報
【特許文献４】特開２０１４−１６９９１６号公報
【発明の概要】
【発明が解決しようとする課題】
【０００６】
ところで、近年では、ソーラーパネルを備えた時計において多機能化が進んでいる。時計の多機能化が進むと、時計において表示する情報も増加し、例えば各種情報を表示するためのサブダイヤルが文字板上に多数設けられる。また、各種情報の視認性を確保するために、サブダイヤルが大型化する。また、時計の多機能化が進むと、各種情報を表示する指針の数も増加するので、指針の駆動に要する電力を確保するためにソーラーセルの数が増加する。このため、複数のソーラーセル間の分割線、およびサブダイヤルが密集する傾向にある。サブダイヤルはソーラーパネル上に影を形成するため、分割線およびサブダイヤルが密集すると、ソーラーパネル上の影と分割線とが複雑に交差する場合がある。その結果、各ソーラーセルの受光面積の設計が困難となり、各ソーラーセル間の受光面積のばらつきが大きくなってソーラーパネルの発電量が低下する可能性がある。
【０００７】
そこで本発明は、ソーラーパネルの発電量を確保できる時計を提供するものである。
【課題を解決するための手段】
【０００８】
本発明の時計は、透光性を有する文字板と、前記文字板を透過する光を遮り、第１機能を表示する第１表示部の少なくとも一部を囲う第１遮光部と、前記文字板を透過する光を遮り、第２機能を表示する第２表示部の少なくとも一部を囲う第２遮光部と、前記文字板を透過した光を受光する発電部であって、少なくとも第１分割線および第２分割線により分割された複数のソーラーセルを有し、前記複数のソーラーセルは前記第１分割線および前記第２分割線により領域を定められた第１セルを含み、前記第１分割線の少なくとも一部は前記第１遮光部の延びる方向に沿って設けられ、かつ受光方向から見て前記第１遮光部と重なるように設けられ、前記第２分割線の少なくとも一部は前記第２遮光部の延びる方向に沿って設けられ、かつ受光方向から見て前記第２遮光部と重なるように設けられた、発電部と、を備えることを特徴とする。
【０００９】
上記の時計において、前記複数のソーラーセルは、前記第２分割線を挟んで前記第１セルとは反対側に設けられ前記第２分割線により領域を定められた第２セルを含み、前記第１分割線は、前記第１セルに向けて突出する第１凸部を備え、前記第２分割線は、前記第２セルに向けて突出する第２凸部を備える、ことが望ましい。
【００１０】
上記の時計において、前記第２凸部は、前記第２表示部を１８０°以上囲むように、受光方向から見て前記第２遮光部と重なるように設けられている、ことが望ましい。
【００１１】
上記の時計において、前記第１分割線および前記第２分割線の少なくとも一方は、受光方向から見て鋭角に曲がる曲げ部を有する、ことが望ましい。
【００１２】
上記の時計において、前記文字板を通る光を遮り、第３機能を表示する第３表示部の少なくとも一部を囲う第３遮光部を備え、前記第２分割線の少なくとも一部は、前記第３遮光部の延びる方向に沿って設けられ、かつ受光方向から見て前記第３遮光部と重なるように設けられている、ことが望ましい。
【００１３】
上記の時計において、前記第１遮光部、前記第２遮光部、および前記文字板を通る光を遮り第３機能を表示する第３表示部の少なくとも一部を囲う第３遮光部は、前記文字板の半分の領域に密集して配置される、ことが望ましい。
【００１４】
上記の時計において、前記第１分割線および前記第２分割線は、前記文字板の中心部と外周部とを結ぶように連続している、ことが望ましい。
【００１５】
上記の時計において、前記複数のソーラーセルは、前記第２分割線を挟んで前記第１セルとは反対側に設けられ前記第２分割線により領域を定められた第２セルを含み、前記第１セルと前記第２セルとを電気的に接続する接続部をさらに備え、前記文字板は、中心部を通る軸回りに回転する指針と、時を表示する目盛りと、により時刻を表示可能であり、前記接続部は、前記目盛りと重ならないように配置されている、ことが望ましい。
【００１６】
上記の時計において、前記第１分割線および前記第２分割線のうち少なくともいずれか一方は、前記第１セルに向けて突出する凸部と、前記凸部を除く部分であって、前記文字板の中心部を中心とする放射状に延在する直線部と、を備える、ことが望ましい。
【００１７】
上記の時計において、前記発電部は、前記ソーラーセルが形成される可撓性を有する可撓基板と、前記第１セルの領域を受光方向から見た前記文字板の中心側から定めるとともに、前記第１分割線と前記第２分割線とを結合する分割線結合部と、を備える、ことが望ましい。
【００１８】
上記の時計において、前記第１機能および前記第２機能のうち少なくともいずれか一方は、時計外部との通信に関する機能を含む、ことが望ましい。
【発明の効果】
【００１９】
本発明によれば、ソーラーパネルの発電量を確保できる時計を提供できる。
【図面の簡単な説明】
【００２０】
【図１】実施形態の時計の平面図である。
【図２】実施形態のソーラーパネルを上方から見た平面図である。
【図３】図１のＩＩＩ−ＩＩＩ線における時計の断面図である。
【図４】図２のＩＶ−ＩＶ線における断面図である。
【図５】実施形態の充電システムのブロック図である。
【図６】実施形態の第１変形例のソーラーパネルを上方から見た平面図である。
【図７】実施形態の第２変形例のソーラーパネルを上方から見た平面図である。
【発明を実施するための形態】
【００２１】
以下、本発明の実施形態を図面に基づいて説明する。なお以下の説明では、同一または類似の機能を有する構成に同一の符号を付す。そして、それら構成の重複する説明は省略する場合がある。
【００２２】
［実施形態］
図１は、実施形態の時計の平面図である。
図１に示すように、時計１は、アナログ式電子時計であって、時計ケース２内に、ムーブメント１０と、文字板２０と、ムーブメント１０と文字板２０との間に配置されたソーラーパネル４０（発電部）と、を備えている。時計１は、例えばＢｌｕｅｔｏｏｔｈ（登録商標）  Ｌｏｗ  Ｅｎｅｒｇｙ（ＢＬＥ）規格や、Ｗｉ−Ｆｉ（Ｗｉｒｅｌｅｓｓ  Ｆｉｄｅｌｉｔｙ）規格の通信方式を用いて、時計外部の機器（例えばスマートフォン等）との間で通信可能となっている。
【００２３】
時計ケース２は、ケース本体３、ケース裏蓋９（図３参照）およびガラス４により形成されている。文字板２０とガラス４との間には、各種指針が配置されている。各種指針は、時刻を示す主指針（時針５ａ、分針５ｂおよび秒針５ｃ）と、主指針が示す時刻とは異なる情報を示す副指針（機能選択指針６ａ、第１小時針６ｂ、小分針６ｃおよび第２小時針６ｄ）が配置されている。また、時計１は、りゅうず７および複数（図示の例では一対）の操作スイッチ８を備えている。りゅうず７および複数の操作スイッチ８は、時計ケース２の側方に設けられている。りゅうず７および複数の操作スイッチ８は、例えば時刻修正や機能切替等に用いられる。なお、以下の説明では、文字板２０に対して時計ケース２のガラス４側を「上側」と称し、ケース裏蓋側を「下側」と称する。
【００２４】
ムーブメント１０は、文字板２０の下側に配置されている。ムーブメント１０は、上述した主指針が取り付けられる主軸１２と、上述した副指針が取り付けられる副軸１３と、主軸１２および副軸１３を駆動するモータ（不図示）と、モータの駆動力を主軸１２および副軸１３に伝達する輪列（不図示）と、モータを制御する電力を供給する二次電池１５（図５参照）と、を備えている。
【００２５】
主軸１２は、時針５ａが取り付けられる筒車１２ａと、分針５ｂが取り付けられる二番車１２ｂと、秒針５ｃが取り付けられる四番車１２ｃと、を含んでいる。筒車１２ａ、二番車１２ｂおよび四番車１２ｃは、同軸に配置されている。主軸１２は、上側に向かって突出し、文字板２０およびソーラーパネル４０を貫通している。副軸１３は、機能選択指針６ａが取り付けられる第１副軸１３ａと、第１小時針６ｂが取り付けられる第２副軸１３ｂと、小分針６ｃが取り付けられる第３副軸１３ｃと、第２小時針６ｄが取り付けられる第４副軸１３ｄと、を含んでいる。副軸１３は、いずれも主軸１２と平行に設けられている。副軸１３は、上側に向かって突出し、文字板２０およびソーラーパネル４０を貫通している。第２副軸１３ｂおよび第３副軸１３ｃは、同軸に設けられている。なお、以下の説明では、主軸１２の軸方向を単に「軸方向」（受光方向）と称し、主軸１２回りの周方向を単に「周方向」と称し、軸方向に直交して主軸１２の軸線Ｏから放射状に延びる方向を「径方向」と称する。また、周方向のうち、上側から見た時計回り方向をＣＷ方向と称する。
【００２６】
文字板２０は、円板状に形成され、主軸１２と同軸に配置されている。文字板２０は、ガラス４を通じて視認可能に設けられている。文字板２０には、主軸１２回りの全周に亘って設けられ時刻を表示する主時刻情報表示部２１と、軸方向から見て主時刻情報表示部２１に重なるように設けられ各種情報（機能）を表示する複数の副表示部２２と、が設けられている。
【００２７】
主時刻情報表示部２１は、文字板２０におけるガラス４を通じて視認できる領域の略全体に形成されている。主時刻情報表示部２１には、複数の目盛り２３が設けられている。複数の目盛り２３は、時刻を示す指標であって、主軸１２の周囲における所定時刻位置に配置されている。本実施形態では、複数の目盛り２３は、時を示す指標であって、周方向に等間隔で１２個設けられている。主時刻情報表示部２１は、複数の目盛り２３と、時針５ａ、分針５ｂおよび秒針５ｃと、の組み合わせにより時刻を表示する。なお、３時を示す位置に設けられた目盛り２３の内側には、日窓２４が形成されている。日窓２４の内側には、日を示す文字（不図示）が視認可能に配置される。
【００２８】
複数の副表示部２２は、機能選択情報表示部２２Ａと、副時刻情報表示部２２Ｂと、補助時刻情報表示部２２Ｃと、を含んでいる。
機能選択情報表示部２２Ａは、周方向における６時の位置に設けられている。なお、周方向における６時の位置とは、文字板２０の中心（軸線Ｏ）と、６時を示す目盛り２３と、の間の位置である（以下同様）。機能選択情報表示部２２Ａは、円環状の第１リング部材２５により全体を囲まれている。第１リング部材２５は、第１副軸１３ａと同軸に配置されている。機能選択情報表示部２２Ａには、軸方向から見て機能選択指針６ａが重なるように配置されている。機能選択指針６ａの移動軌跡は、軸方向から見て第１リング部材２５の外周縁の内側に位置している。機能選択情報表示部２２Ａは、第１リング部材２５と機能選択指針６ａとの組み合わせにより、時計１が実行している機能等を表示する。本実施形態では、機能選択情報表示部２２Ａは、時計外部の機器により設定された情報を、上述した通信機能により取得して表示できる。
【００２９】
副時刻情報表示部２２Ｂは、周方向における８時と１１時との間の位置に設けられている。副時刻情報表示部２２Ｂは、円環状の第２リング部材２６により全体を囲まれている。第２リング部材２６は、第２副軸１３ｂおよび第３副軸１３ｃと同軸に配置されている。副時刻情報表示部２２Ｂには、軸方向から見て第１小時針６ｂおよび小分針６ｃが重なるように配置されている。第１小時針６ｂおよび小分針６ｃの移動軌跡は、軸方向から見て第２リング部材２６の内側に位置している。副時刻情報表示部２２Ｂには、第２リング部材２６の内周に等間隔に配置された複数の小目盛り２７が設けられている。副時刻情報表示部２２Ｂは、第２リング部材２６と、小目盛り２７と、第１小時針６ｂおよび小分針６ｃと、の組み合わせにより、主時刻情報表示部２１に表示する時刻とは別のタイムゾーンの時刻を１２時間制で表示する。
【００３０】
補助時刻情報表示部２２Ｃは、周方向における７時と８時との間の位置に設けられている。補助時刻情報表示部２２Ｃは、円環状の第３リング部材２８により全体を囲まれている。第３リング部材２８は、第４副軸１３ｄと同軸に配置されている。第３リング部材２８は、第１リング部材２５および第２リング部材２６に対して隙間をあけて配置されている。補助時刻情報表示部２２Ｃには、軸方向から見て第２小時針６ｄが重なるように配置されている。第２小時針６ｄの移動軌跡は、軸方向から見て第３リング部材２８の外周縁の内側に位置している。補助時刻情報表示部２２Ｃは、第３リング部材２８と第２小時針６ｄとの組み合わせにより、主時刻情報表示部２１に表示する時刻を２４時間制で表示する。
【００３１】
文字板２０は、円板状に形成された本体部３０と、本体部３０の上面に配置された遮光部材３１と、を有する。
本体部３０は、透光性を有する材料により形成されている。透光性を有する材料としては、例えばガラスや樹脂材料等を用いることができる。
【００３２】
遮光部材３１は、例えば金属材料や樹脂材料等により形成されている。遮光部材３１は、ガラス４を通って文字板２０に入射した後、文字板２０の本体部３０を透過する光を遮る。遮光部材３１は、目盛り２３と、第１リング部材２５と、第２リング部材２６と、小目盛り２７と、第３リング部材２８と、記号体２９と、により構成されている。遮光部材３１のうち、第１リング部材２５、第２リング部材２６および第３リング部材２８は、周方向における５時から１１時の領域、すなわち文字板２０の半分の領域に密集して配置されている。なお、記号体２９は、例えばメーカー名や製品名等の文字情報、時計１が有する機能を表示する部材であって、文字板２０の任意の位置に配置される。
【００３３】
図２は、実施形態のソーラーパネルを上方から見た平面図である。なお、図２では、目盛り２３、および各１リング部材２５，２６，２８をその位置がわかるように２点鎖線で示している。
図２に示すように、ソーラーパネル４０は、文字板２０（図１参照）と略同径かつ同心の円板状に形成されている。ソーラーパネル４０は、受光面を上側に向けた状態で配置されている。ソーラーパネル４０は、軸方向に沿って入射した光を受光して発電する。ソーラーパネル４０は、可撓性を有する可撓基板４１と、可撓基板４１の上面に形成された太陽電池からなる複数（本実施形態では６個）のソーラーセル４２Ａ〜４２Ｆと、ソーラーセル４２Ａ〜４２Ｆを互いに電気的に接続する複数（本実施形態では５個）の接続部４３と、可撓基板４１の下面に形成された一対の接続端子部５０と、を主に備えている。
【００３４】
可撓基板４１は、例えばポリエチレンナフタレートやポリイミド等の樹脂フィルムにより形成されている。可撓基板４１の中心部には、主軸１２（図１参照）が貫通する主軸貫通孔４１ａが形成されている。また、可撓基板４１の主軸貫通孔４１ａの周囲には、副軸１３（図１参照）が貫通する複数（本実施形態では３つ）の副軸貫通孔４１ｂが形成されている。
【００３５】
複数のソーラーセル４２Ａ〜４２Ｆは、周方向に並んでいる。複数のソーラーセル４２Ａ〜４２Ｆは、複数の接続部４３を介して直列接続されている。複数のソーラーセル４２Ａ〜４２Ｆは、複数のソーラーセル４２Ａ〜４２Ｆと同数の分割線Ｌ１〜Ｌ６により分割されている。分割線Ｌ１〜Ｌ６は、可撓基板４１上に設けられた後述する絶縁材料層４８により形成されている。分割線Ｌ１〜Ｌ６は、可撓基板４１上を軸方向から見て可撓基板４１の中心部から外周部に向かって延びている。分割線Ｌ１および分割線Ｌ２は、ソーラーセル４２Ａの領域を定めている。分割線Ｌ２および分割線Ｌ３は、ソーラーセル４２Ｂの領域を定めている。分割線Ｌ３および分割線Ｌ４は、ソーラーセル４２Ｃの領域を定めている。分割線Ｌ４および分割線Ｌ５は、ソーラーセル４２Ｄの領域を定めている。分割線Ｌ５および分割線Ｌ６は、ソーラーセル４２Ｅの領域を定めている。分割線Ｌ６および分割線Ｌ１は、ソーラーセル４２Ｆの領域を定めている。
【００３６】
分割線Ｌ１は、ソーラーセル４２Ｆとソーラーセル４２Ａとを分割している。分割線Ｌ１は、軸方向から見て、可撓基板４１の中心部から１２時を示す目盛り２３に向かって、径方向に沿う直線状に延びている。
【００３７】
分割線Ｌ２は、ソーラーセル４２Ａとソーラーセル４２Ｂとを分割している。分割線Ｌ２は、軸方向から見て、可撓基板４１の中心部から１時を示す目盛り２３と２時を示す目盛り２３との間に向かって、径方向に沿う直線状に延びている。
【００３８】
分割線Ｌ３は、ソーラーセル４２Ｂとソーラーセル４２Ｃとを分割している。分割線Ｌ３は、軸方向から見て、可撓基板４１の中心部から３時を示す目盛り２３と４時を示す目盛り２３との間に向かって、径方向に沿う直線状に延びている。
【００３９】
分割線Ｌ４は、ソーラーセル４２Ｃとソーラーセル４２Ｄとを分割している。分割線Ｌ４は、軸方向から見て、可撓基板４１の中心部から５時を示す目盛り２３と６時を示す目盛り２３との間に向かって延びている。分割線Ｌ４は、軸方向から見てソーラーセル４２Ｃに向かって突出する凸部Ｌ４ｂを中間部分に備えている。具体的に、分割線Ｌ４は、内側直線部Ｌ４ａと、凸部Ｌ４ｂと、外側直線部Ｌ４ｃと、を備えている。内側直線部Ｌ４ａは、軸方向から見て、可撓基板４１の中心部から６時を示す目盛り２３に向かって、径方向に沿う直線状に延びている。
【００４０】
凸部Ｌ４ｂは、内側直線部Ｌ４ａの径方向外側の端部から、ＣＷ方向上流側に向かって延出している。凸部Ｌ４ｂは、第１リング部材２５の延びる方向に沿って設けられ、かつ軸方向から見て第１リング部材２５と重なるように設けられている。つまり、凸部Ｌ４ｂは、軸方向から見て第１リング部材２５と重なる位置において、第１リング部材２５と同心の円弧状に延びている。凸部Ｌ４ｂの径方向外側の端部は、周方向における５時と６時との間の位置であって、凸部Ｌ４ｂの径方向内側の端部よりもＣＷ方向上流側に設けられている。凸部Ｌ４ｂは、軸方向から見て機能選択情報表示部２２Ａの中心（図１に示す第１副軸１３ａの回転中心）を１８０°未満の角度範囲で囲うように設けられている。なお、凸部Ｌ４ｂが第１リング部材２５の延びる方向に沿って設けられた状態とは、図３に示すように、第１リング部材２５の延びる方向に沿う断面視で、凸部Ｌ４ｂが第１リング部材２５に沿っている状態である。
【００４１】
図２に示すように、外側直線部Ｌ４ｃは、凸部Ｌ４ｂの径方向外側の端部から、５時を示す目盛り２３と６時を示す目盛り２３との間に向かって、径方向に沿う直線状に延びている。
【００４２】
なお、図示の例では、内側直線部Ｌ４ａおよび外側直線部Ｌ４ｃのそれぞれと凸部Ｌ４ｂとが接続する箇所は、軸方向から見て第１リング部材２５と重なる位置に設けられ、かつ軸方向から見て滑らかに湾曲している。しかしながら、これに限定されず、内側直線部Ｌ４ａおよび外側直線部Ｌ４ｃのそれぞれと凸部Ｌ４ｂとが接続する箇所の少なくとも一部は、軸方向から見て第１リング部材２５の外側に設けられていてもよい。
【００４３】
分割線Ｌ５は、ソーラーセル４２Ｄとソーラーセル４２Ｅとを分割している。分割線Ｌ５は、軸方向から見て、可撓基板４１の中心部から７時を示す目盛り２３と８時を示す目盛り２３との間に向かって延びている。分割線Ｌ５は、軸方向から見てソーラーセル４２Ｄに向かって突出する凸部Ｌ５ｂを中間部分に備えている。具体的に、分割線Ｌ５は、内側直線部Ｌ５ａと、凸部Ｌ５ｂと、外側直線部Ｌ５ｃと、を備えている。内側直線部Ｌ５ａは、軸方向から見て、文字板２０の中心部から７時を示す目盛り２３と８時を示す目盛り２３との間に向かって、径方向に沿う直線状に延びている。
【００４４】
凸部Ｌ５ｂは、内側直線部Ｌ５ａの径方向外側の端部から、ＣＷ方向上流側に向かって延出している。凸部Ｌ５ｂは、第３リング部材２８の延びる方向に沿って設けられ、かつ軸方向から見て第３リング部材２８と重なるように設けられている。つまり、凸部Ｌ５ｂは、軸方向から見て第３リング部材２８と重なる位置において、第３リング部材２８と同心の円弧状に延びている。凸部Ｌ５ｂの径方向外側の端部は、周方向における７時と８時との間の位置であって、凸部Ｌ５ｂの径方向内側の端部と周方向の同じ位置に設けられている。凸部Ｌ５ｂは、軸方向から見て補助時刻情報表示部２２Ｃの中心（図１に示す第４副軸１３ｄの回転中心）を略１８０°の角度範囲で囲うように設けられている。なお、凸部Ｌ５ｂが第３リング部材２８の延びる方向に沿って設けられた状態とは、上述した凸部Ｌ４ｂが第１リング部材２５の延びる方向に沿って設けられた状態と同様である。
【００４５】
外側直線部Ｌ５ｃは、凸部Ｌ５ｂの径方向外側の端部から、７時を示す目盛り２３と８時を示す目盛り２３との間に向かって、径方向に沿う直線状に延びている。外側直線部Ｌ５ｃは、内側直線部Ｌ５ａと軸方向から見て同一直線上に延在している。
【００４６】
なお、図示の例では、凸部Ｌ５ｂは、その幅方向における略半分の領域が軸方向から見て第３リング部材２８と重なっているが、これに限定されず、幅方向における全体が第３リング部材２８と重なっていてもよい。また、分割線Ｌ５における内側直線部Ｌ５ａおよび外側直線部Ｌ５ｃのそれぞれと凸部Ｌ５ｂとが接続する箇所は、軸方向から見て第３リング部材２８の外側に設けられ、かつ軸方向から見て滑らかに湾曲している。しかしながら、これに限定されず、内側直線部Ｌ５ａおよび外側直線部Ｌ５ｃのそれぞれと凸部Ｌ５ｂとが接続する箇所の少なくとも一部は、軸方向から見て第３リング部材２８と重なる位置に設けられていてもよい。
【００４７】
分割線Ｌ６は、ソーラーセル４２Ｅとソーラーセル４２Ｆとを分割している。分割線Ｌ６は、軸方向から見て、可撓基板４１の中心部から１０時を示す目盛り２３と１１時を示す目盛り２３との間に向かって延びている。分割線Ｌ６は、軸方向から見てソーラーセル４２Ｅに向かって突出する凸部Ｌ６ｂを中間部分に備えている。具体的に、分割線Ｌ６は、内側直線部Ｌ６ａと、凸部Ｌ６ｂと、外側直線部Ｌ６ｃと、外側クランク部Ｌ６ｄと、を備えている。内側直線部Ｌ６ａは、軸方向から見て、文字板２０の中心部から１１時を示す目盛り２３に向かって、径方向に沿う直線状に延びている。
【００４８】
凸部Ｌ６ｂは、内側直線部Ｌ６ａの径方向外側の端部から、ＣＷ方向上流側に向かって延出している。凸部Ｌ６ｂの中間部分は、第２リング部材２６の延びる方向に沿って設けられ、かつ軸方向から見て第２リング部材２６と重なるように設けられている。具体的に、凸部Ｌ６ｂは、軸方向から見て第２リング部材２６と重なる位置において第２リング部材２６と同心の円弧状に延びる湾曲部分と、湾曲部分の両端部からそれぞれ接線方向に沿って直線状に延出する部分と、を備えている。凸部Ｌ６ｂの湾曲部分は、軸方向から見て副時刻情報表示部２２Ｂの中心（図１に示す第２副軸１３ｂおよび第３副軸１３ｃの回転中心）を１８０°以上の角度範囲で囲うように設けられている。なお、凸部Ｌ６ｂの中間部分が第２リング部材２６の延びる方向に沿って設けられた状態とは、上述した凸部Ｌ４ｂが第１リング部材２５の延びる方向に沿って設けられた状態と同様である。
【００４９】
凸部Ｌ６ｂの径方向外側の端部は、周方向における１１時の位置であって、凸部Ｌ６ｂの径方向内側の端部と周方向の同じ位置に設けられている。内側直線部Ｌ６ａと凸部Ｌ６ｂとは、鋭角に曲がる第１曲げ部Ｌ６ｅにおいて接続している。外側直線部Ｌ６ｃと凸部Ｌ６ｂとは、鋭角に曲がる第２曲げ部Ｌ６ｆにおいて接続している。各曲げ部Ｌ６ｅ，Ｌ６ｆは、軸方向から見て第２リング部材２６の外側に設けられている。
【００５０】
外側直線部Ｌ６ｃは、凸部Ｌ６ｂの径方向外側の端部から、１１時を示す目盛り２３に向かって、径方向に沿う直線状に延びている。外側直線部Ｌ６ｃは、軸方向から見て内側直線部Ｌ６ａと同一直線上に延在している。外側直線部Ｌ６ｃの径方向外側の端部は、ソーラーセル４２Ｅ，４２Ｆの外周縁よりも径方向の内側に設けられている。
【００５１】
外側クランク部Ｌ６ｄは、外側直線部Ｌ６ｃの径方向外側の端部から、ＣＷ方向上流側に向かって直線状に延出した後、径方向外側に向かって直線状に延びている。外側クランク部Ｌ６ｄの径方向の外側の端部は、周方向における１０時を示す目盛り２３と１１時を示す目盛り２３との間に設けられている。外側クランク部Ｌ６ｄと外側直線部Ｌ６ｃとの接続部、および外側クランク部Ｌ６ｄの中間部分は、それぞれ滑らかに湾曲している。
【００５２】
ここで分割線Ｌ４および分割線Ｌ５に着目する。分割線Ｌ４および分割線Ｌ５は、ソーラーセル４２Ｄの領域を定めている。また、ソーラーセル４２Ｃは、分割線Ｌ４を挟んでソーラーセル４２Ｄとは反対側に設けられ、分割線Ｌ４により領域を定められている。つまり、分割線Ｌ５は、請求項２における第１分割線に相当し、分割線Ｌ４は、請求項２における第２分割線に相当する。また、ソーラーセル４２Ｄは、請求項２における第１セルに相当し、ソーラーセル４２Ｃは、請求項２における第２セルに相当する。
分割線Ｌ５は、軸方向から見てソーラーセル４２Ｄに向けて突出する凸部Ｌ５ｂを備えている。分割線Ｌ４は、軸方向から見てソーラーセル４２Ｃに向けて突出する凸部Ｌ４ｂを備えている。つまり、分割線Ｌ５の凸部Ｌ５ｂは、請求項２における第１凸部に相当し、分割線Ｌ４の凸部Ｌ４ｂは、請求項２における第２凸部に相当する。
分割線Ｌ５の凸部Ｌ５ｂは、軸方向から見て第３リング部材２８と重なるように設けられている。分割線Ｌ４の凸部Ｌ４ｂは、軸方向から見て第１リング部材２５と重なるように設けられている。つまり、第３リング部材２８は、請求項１における第１遮光部に相当するとともに、第３リング部材２８が囲う補助時刻情報表示部２２Ｃは、請求項１における第１表示部に相当する。そして、補助時刻情報表示部２２Ｃが表示する２４時間制の時刻は、請求項１における第１機能に相当する。また、第１リング部材２５は、請求項１における第２遮光部に相当するとともに、第１リング部材２５が囲う機能選択情報表示部２２Ａは、請求項１における第２表示部に相当する。そして、機能選択情報表示部２２Ａが表示する時計１が実行している機能等は、請求項１における第２機能に相当する。
【００５３】
また、分割線Ｌ５および分割線Ｌ６に着目する。分割線Ｌ５および分割線Ｌ６は、ソーラーセル４２Ｅの領域を定めている。また、ソーラーセル４２Ｄは、分割線Ｌ５を挟んでソーラーセル４２Ｅとは反対側に設けられ、分割線Ｌ５により領域を定められている。つまり、分割線Ｌ６は、請求項２における第１分割線に相当し、分割線Ｌ５は、請求項２における第２分割線に相当する。また、ソーラーセル４２Ｅは、請求項２における第１セルに相当し、ソーラーセル４２Ｄは、請求項２における第２セルに相当する。
分割線Ｌ６は、軸方向から見てソーラーセル４２Ｅに向けて突出する凸部Ｌ６ｂを備えている。分割線Ｌ５は、軸方向から見てソーラーセル４２Ｄに向けて突出する凸部Ｌ５ｂを備えている。つまり、分割線Ｌ６の凸部Ｌ６ｂは、請求項２における第１凸部に相当し、分割線Ｌ５の凸部Ｌ５ｂは、請求項２における第２凸部に相当する。
分割線Ｌ６の凸部Ｌ６ｂは、軸方向から見て第２リング部材２６と重なるように設けられている。分割線Ｌ５の凸部Ｌ５ｂは、軸方向から見て第３リング部材２８と重なるように設けられている。つまり、第２リング部材２６は、請求項１における第１遮光部に相当するとともに、第２リング部材２６が囲う副時刻情報表示部２２Ｂは、請求項１における第１表示部に相当する。そして、副時刻情報表示部２２Ｂが表示する時刻は、請求項１における第１機能に相当する。また、第３リング部材２８は、請求項１における第２遮光部に相当するとともに、第３リング部材２８が囲う補助時刻情報表示部２２Ｃは、請求項１における第２表示部に相当する。そして、補助時刻情報表示部２２Ｃが表示する２４時間制の時刻は、請求項１における第２機能に相当する。
【００５４】
複数の分割線Ｌ１〜Ｌ６のうち、周方向で隣り合う分割線同士は、内側分割線結合部５１（分割線結合部）および外側分割線結合部５２により結合されている。各分割線結合部５１，５２は、可撓基板４１上に設けられた絶縁材料層４８により形成されている。内側分割線結合部５１は、主軸貫通孔４１ａの内周縁に沿って円環状に形成されている。内側分割線結合部５１は、周方向で隣り合う分割線の径方向内側の端部同士を接続している。内側分割線結合部５１は、各ソーラーセル４２Ａ〜４２Ｆの領域を軸方向から見た径方向の内側（文字板２０の中心側）から定めている。外側分割線結合部５２は、可撓基板４１の外周縁に沿って円環状に形成されている。外側分割線結合部５２は、周方向で隣り合う分割線の径方向外側の端部同士を接続している。外側分割線結合部５２は、各ソーラーセル４２Ａ〜４２Ｆの領域を径方向の外側から定めている。
【００５５】
図４は、図２のＩＶ−ＩＶ線における断面図である。
図４に示すように、各ソーラーセル４２Ａ〜４２Ｆ（図２参照）は、反射電極層４４と、光電変換層４５と、上部電極層４６と、がこの順に可撓基板４１上に積層されることにより形成されている。反射電極層４４は、例えばアルミニウムや銀、チタン等の金属材料により形成されている。光電変換層４５は、ｎ型アモルファスシリコン層４５ａと、ｉ型アモルファスシリコン層４５ｂと、ｐ型アモルファスシリコン層４５ｃと、がこの順に反射電極層４４上に積層されることにより形成されている。上部電極層４６は、例えばＩＴＯ等により形成された透明導電膜である。なお、上部電極層４６上には、保護膜が積層されていてもよい。
【００５６】
図２および図４に示すように、周方向で隣り合うソーラーセル４２Ａ〜４２Ｆの反射電極層４４および光電変換層４５は、分割線Ｌ１〜Ｌ６を形成する絶縁材料層４８により分割されている。分割線Ｌ１〜Ｌ５それぞれのＣＷ方向下流側に位置する各ソーラーセル４２Ａ〜４２Ｅの上部電極層４６は、絶縁材料層４８上を跨ってＣＷ方向下流側に向かって延び、隣り合うソーラーセル４２Ｂ〜４２Ｆの光電変換層４５上に積層されている。上部電極層４６のうち絶縁材料層４８上を跨ってＣＷ方向下流側に向かって延びた部分は、接続部４３により、下層の反射電極層４４に電気的に接続されている。
【００５７】
接続部４３は、例えば導電材により形成されている。接続部４３は、上部電極層４６上に塗布され、上部電極層４６、光電変換層４５および反射電極層４４を軸方向に貫通する貫通孔４９内に設けられている。これにより、分割線Ｌ１〜Ｌ５のそれぞれを挟んで隣り合う一対のソーラーセル４２Ａ〜４２Ｆ同士が接続部４３により電気的に接続され、複数のソーラーセル４２Ａ〜４２Ｆが直列接続されている。
【００５８】
図２に示すように、各接続部４３は、軸方向から見て、分割線Ｌ１〜Ｌ５の径方向外側の端部と重なる位置であって、目盛り２３と重ならない位置に配置されている。ソーラーセル４２Ａとソーラーセル４２Ｂとを電気的に接続する接続部４３は、分割線Ｌ２上であって、１時を示す目盛り２３と２時を示す目盛り２３との間に設置されている。ソーラーセル４２Ｂとソーラーセル４２Ｃとを電気的に接続する接続部４３は、分割線Ｌ３上であって、３時を示す目盛り２３と４時を示す目盛り２３との間に設置されている。ソーラーセル４２Ｃとソーラーセル４２Ｄとを電気的に接続する接続部４３は、分割線Ｌ４上であって、５時を示す目盛り２３と６時を示す目盛り２３との間に設置されている。ソーラーセル４２Ｄとソーラーセル４２Ｅとを電気的に接続する接続部４３は、分割線Ｌ５上であって、７時を示す目盛り２３と８時を示す目盛り２３との間に設置されている。ソーラーセル４２Ｅとソーラーセル４２Ｆとを電気的に接続する接続部４３は、分割線Ｌ６上であって、１０時を示す目盛り２３と１１時を示す目盛り２３との間に設置されている。
【００５９】
接続端子部５０は、ソーラーパネル４０の正極端子および負極端子である。一対の接続端子部５０は、可撓基板４１の下面に設けられている。一方の接続端子部５０は、周方向におけるソーラーセル４２Ａと同じ位置に設けられ、ソーラーセル４２Ａと電気的に接続している。他方の接続端子部５０は、周方向におけるソーラーセル４２Ｆと同じ位置に設けられ、ソーラーセル４２Ｆと電気的に接続している。一対の接続端子部５０は、ムーブメント１０に設けられた図示しない回路基板に接続される。
【００６０】
各ソーラーセル４２Ａ〜４２Ｆは、それぞれ上述した遮光部材３１の投影面積を除いた面積（以下、受光面積という。）が略同等となるように形成されている。これにより、各ソーラーセル４２Ａ〜４２Ｆは、文字板２０およびソーラーパネル４０に対して軸方向に沿って光を入射させた際に、光を受けることで生じる出力電流が等しくなるように形成されている。なお、ここで言う遮光部材３１の投影面積とは、文字板２０およびソーラーパネル４０に対して軸方向に沿って光を入射させた際にできる遮光部材３１の影の面積である。よって、受光面積は、文字板２０およびソーラーパネル４０に対して軸方向に沿って光を入射させた際に、各ソーラーセル４２Ａ〜４２Ｆにおける光が当たる部分の面積である。
【００６１】
なお、一対の接続端子部５０の位置は、ムーブメント１０（図１参照）に設けられた回路基板の構成によって決まる。このため、一対の接続端子部５０に電気的に接続するソーラーセル４２Ａ，４２Ｆの位置も、ムーブメント１０に設けられた回路基板の構成によって決まる。よって、受光面積が略同等となるように各ソーラーセル４２Ａ〜４２Ｆを形成する場合には、他のソーラーセル４２Ｂ〜４２Ｅの位置も、ムーブメント１０に設けられた回路基板の構成によって決まる。したがって、各分割線Ｌ１〜Ｌ６は、ムーブメント１０に設けられた回路基板の構成によっておおよその位置を決定される。
【００６２】
図５は、実施形態の充電システムのブロック図である。
図５に示すように、上述したソーラーパネル４０は、二次電池１５を充電する。時計１が備える充電システムは、ソーラーパネル４０と、ダイオード６１と、二次電池１５と、過充電防止回路６２と、を備えている。ダイオード６１は、二次電池１５からソーラーパネル４０に電流が逆流することを防止している。過充電防止回路６２は、基準電圧回路６３と、演算増幅器６４と、トランジスタ６５と、を備えている。過充電防止回路６２は、二次電池１５が過充電となり所定の電圧以上になったときに、不図示のスイッチによりソーラーパネル４０の両端をショート状態にする。これにより、二次電池１５への過充電が防止される。
【００６３】
このように、本実施形態では、ソーラーセル４２Ｄの領域を定める分割線Ｌ４および分割線Ｌ５に着目した場合、分割線Ｌ４の一部（凸部Ｌ４ｂ）は、第１リング部材２５の延びる方向に沿って設けられ、かつ軸方向から見て第１リング部材２５と重なるように設けられ、分割線Ｌ５の一部（凸部Ｌ５ｂ）は、第３リング部材２８の延びる方向に沿って設けられ、かつ軸方向から見て第３リング部材２８と重なるように設けられている。
【００６４】
この構成によれば、第１リング部材２５に囲まれた機能選択情報表示部２２Ａと、第３リング部材２８に囲まれた補助時刻情報表示部２２Ｃと、が軸方向から見て密集していても、ソーラーセル４２Ｄを挟んで周方向で隣り合う分割線Ｌ４および分割線Ｌ５のそれぞれが、軸方向から見て機能選択情報表示部２２Ａ、または補助時刻情報表示部２２Ｃに配置されることを抑制できる。このため、機能選択情報表示部２２Ａおよび補助時刻情報表示部２２Ｃの少なくとも一方の一部にソーラーセル４２Ｄが軸方向から見て重なることを抑制できる。つまり、ソーラーセル４２Ｄは、機能選択情報表示部２２Ａおよび補助時刻情報表示部２２Ｃの少なくとも一方の全体に軸方向から見て重なる状態、または機能選択情報表示部２２Ａおよび補助時刻情報表示部２２Ｃの両方に軸方向から見て重ならない状態となる。これにより、機能選択情報表示部２２Ａおよび補助時刻情報表示部２２Ｃの少なくとも一方の一部にソーラーセル４２Ｄが軸方向から見て重なる場合と比較して、ソーラーセル４２Ｄ、およびソーラーセル４２Ｄに隣接するソーラーセル４２Ｃ，４２Ｅの受光面積の計算が容易となる。ソーラーセル４２Ｅの領域を定める分割線Ｌ５および分割線Ｌ６に着目した場合も同様である。したがって、各ソーラーセルの受光面積のばらつきを抑え、時計内部という限られた空間に配置される場合おいても、ソーラーパネル４０の発電量を確保することができる。
つまり、これら表示部と分割線とが互いに干渉しやすい密集化した配置であっても、各セルの受光面積の設計を適正化することが可能となる。
【００６５】
特に本実施形態では、機能選択情報表示部２２Ａおよび補助時刻情報表示部２２Ｃと軸方向から見て重なる位置に機能選択指針６ａや第２小時針６ｄが配置されている。機能選択指針６ａおよび第２小時針６ｄは、移動可能であって、かつソーラーパネル４０上に影を形成する。このため、機能選択情報表示部２２Ａおよび補助時刻情報表示部２２Ｃの少なくとも一方の一部にソーラーセル４２Ｄが軸方向から見て重なる状態となることを抑制することで、機能選択指針６ａおよび第２小時針６ｄが移動した際にソーラーセル４２Ｄの受光面積が変化することを防止できる。したがって、各ソーラーセルの受光面積のばらつきを抑え、時計内部という限られた空間に配置される場合おいても、ソーラーパネル４０の発電量を確保することができる。
【００６６】
また、ソーラーセル４２Ｄの領域を定める分割線Ｌ４および分割線Ｌ５に着目した場合、分割線Ｌ４は、軸方向から見てソーラーセル４２Ｃに向けて突出する凸部Ｌ４ｂを備え、分割線Ｌ５は、ソーラーセル４２Ｄに向けて突出する凸部Ｌ５ｂを備える。
この構成によれば、ソーラーセル４２Ｄの受光面積は、凸部Ｌ５ｂにより減少した分、凸部Ｌ４ｂにより確保することができる。このため、時計の多機能化に伴って発電量を確保するためにソーラーセルの数が増加し、ソーラーセル４２Ｄが周方向において狭小化した場合であっても、ソーラーセル４２Ｄの受光面積を確保することができる。ソーラーセル４２Ｅの領域を定める分割線Ｌ５および分割線Ｌ６に着目した場合も同様である。したがって、各ソーラーセルの受光面積のばらつきを抑え、時計内部という限られた空間に配置される場合おいても、ソーラーパネル４０の発電量を確保することができる。
【００６７】
また、ソーラーセル４２Ｅの領域を定める分割線Ｌ５および分割線Ｌ６に着目した場合、分割線Ｌ５が備える凸部Ｌ５ｂは、補助時刻情報表示部２２Ｃを１８０°囲むように、補助時刻情報表示部２２Ｃを囲う第３リング部材２８と軸方向から見て重なるように設けられている。
この構成によれば、凸部Ｌ５ｂが補助時刻情報表示部２２Ｃを１８０°未満囲むように設けられている構成と比較して、凸部Ｌ５ｂの周方向における突出量を大きく設定することができる。このため、ソーラーセル４２Ｅが周方向において狭小化した場合であっても、ソーラーセル４２Ｅの受光面積を確保することができる。ソーラーセル４２Ｆの領域を定める分割線Ｌ６および分割線Ｌ１に着目した場合における凸部Ｌ６ｂについても同様である。
【００６８】
また、分割線Ｌ６は、軸方向から見て鋭角に曲がる第１曲げ部Ｌ６ｅおよび第２曲げ部Ｌ６ｆを備えている。
この構成によれば、ソーラーパネル４０上における各曲げ部Ｌ６ｅ，Ｌ６ｆの近傍には、局所的に分割線が密に配置された領域が形成される。これにより、ソーラーパネル４０を撓み難くすることができる。そして、ソーラーパネル４０が撓み難くなることで、ソーラーパネル４０を時計内部に組み付ける際のハンドリング性が向上し、ソーラーパネル４０の組み付けにおいて、他の周辺部品とのアライメント等の精度等を容易に確保することが可能となる。また、透過性の文字板２０を通してユーザーから視認される際に、歪みによる視認性の難化が抑制される。
なお、特に、本実施形態のソーラーパネル４０においては、可撓基板４１に複数のセルが設けられるというフィルム状のソーラーパネルを採用するので、その薄型化による時計内部の省スペース化を可能とするものである。一方で、その可撓性が、前述の組み付け性や視認性の難化につながり得るが、本実施形態によれば、そのような事態を抑制することができる。つまり、フィルム状のソーラーパネルにおいても、時計内部の空間を有効利用と、組み付け性の向上と、良好な視認性の確保と、を共に可能とするものである。
【００６９】
また、接続部４３は、時を表示する目盛り２３と重ならないように配置されている。
一般に周方向における目盛り２３が配置されていない領域の角度範囲は、目盛り２３が配置されている領域の角度範囲よりも大きいので、上記構成により、接続部４３の配置の自由度を向上させることができる。
【００７０】
また、分割線Ｌ５は、凸部Ｌ５ｂを除く部分であって、文字板２０の中心部を中心とする放射状に延在する内側直線部Ｌ５ａおよび外側直線部Ｌ５ｃを備えている。
この構成によれば、文字板２０を介してソーラーパネル４０が視認された際に、内側直線部Ｌ５ａおよび外側直線部Ｌ５ｃが放射状に延在しているので、見栄えの低下を抑制できる。
【００７１】
また、ソーラーセル４２Ｄの領域を定める分割線Ｌ４および分割線Ｌ５に着目した場合、ソーラーパネル４０は、ソーラーセル４２Ｄの領域を軸方向から見た文字板２０の中心側（すなわち径方向の内側）から定めるとともに、分割線Ｌ４と分割線Ｌ５とを結合する内側分割線結合部５１を備えている。
この構成によれば、ソーラーセル４２Ｄの径方向内側の端部近傍には、局所的に分割線Ｌ４，Ｌ５および内側分割線結合部５１が密に配置された領域が形成される。これにより、可撓基板４１を有するソーラーパネル４０を撓み難くすることができる。そして、ソーラーパネル４０が撓み難くなることで、ソーラーパネル４０を時計内部に組み付ける際のハンドリング性が向上し、ソーラーパネル４０の組み付けにおいて、他の周辺部品とのアライメント等の精度等を容易に確保することが可能となる。また、透過性の文字板２０を通してユーザーから視認される際に、歪みによる視認性の難化が抑制される。
なお、特に、本実施形態のソーラーパネル４０においては、可撓基板４１に複数のセルが設けられるというフィルム状のソーラーパネルを採用するので、その薄型化による時計内部の省スペース化を可能とするものである。一方で、その可撓性が、前述の組み付け性や視認性の難化につながり得るが、本実施形態によれば、そのような事態を抑制することができる。つまり、フィルム状のソーラーパネルにおいても、時計内部の空間を有効利用と、組み付け性の向上と、良好な視認性の確保と、を共に可能とするものである。
【００７２】
また、上述したようにソーラーパネル４０の発電量を確保できるため、機能選択情報表示部２２Ａが表示する機能が上述した通信機能を含むことにより時計１の消費電力が増加しても、時計外部との通信を安定させることができる。
【００７３】
［実施形態の第１変形例］
上述した実施形態では、分割線Ｌ４〜Ｌ６は、軸方向から見てそれぞれ１つのリング部材と重なるように設けられているが、これに限定されない。
図６は、実施形態の第１変形例のソーラーパネルを上方から見た平面図である。
図６に示すように、分割線Ｌ５は、内側直線部Ｌ５ａと、第１凸部Ｌ５ｄと、連結部Ｌ５ｅと、第２凸部Ｌ５ｆと、外側直線部Ｌ５ｇと、を備えている。内側直線部Ｌ５ａは、上述した実施形態の内側直線部Ｌ５ａと同様である。
【００７４】
第１凸部Ｌ５ｄは、内側直線部Ｌ５ａの径方向外側の端部から、ＣＷ方向上流側に向かって延出している。第１凸部Ｌ５ｄは、第３リング部材２８の延びる方向に沿って設けられ、かつ軸方向から見て第３リング部材２８と重なるように設けられている。つまり、第１凸部Ｌ５ｄは、軸方向から見て第３リング部材２８と重なる位置において、第３リング部材２８と同心の円弧状に延びている。第１凸部Ｌ５ｄの径方向外側の端部は、周方向における７時と８時との間の位置であって、軸方向から見て第１リング部材２５に最も近接する位置に設けられている。
【００７５】
連結部Ｌ５ｅは、第１凸部Ｌ５ｄの径方向外側の端部から、ＣＷ方向上流側に向かって直線状に延出している。連結部Ｌ５ｅは、軸方向から見て第１リング部材２５と第３リング部材２８とを最短距離で結ぶ直線上に設けられている。
第２凸部Ｌ５ｆは、連結部Ｌ５ｅのＣＷ方向上流側の端部から、径方向外側に向かって延出している。第２凸部Ｌ５ｆは、第１リング部材２５の延びる方向に沿って設けられ、かつ軸方向から見て第１リング部材２５と重なるように設けられている。つまり、第２凸部Ｌ５ｆは、軸方向から見て第１リング部材２５と重なる位置において、第１リング部材２５と同心の円弧状に延びている。第２凸部Ｌ５ｆの径方向外側の端部は、周方向における６時と７時との間の位置に設けられている。
外側直線部Ｌ５ｇは、第２凸部Ｌ５ｆの径方向外側の端部から、６時を示す目盛り２３と７時を示す目盛り２３との間に向かって、径方向に沿う直線状に延びている。
【００７６】
ここで、分割線Ｌ５および分割線Ｌ６に着目する。分割線Ｌ５および分割線Ｌ６は、ソーラーセル４２Ｅの領域を定めている。また、ソーラーセル４２Ｄは、分割線Ｌ５を挟んでソーラーセル４２Ｅとは反対側に設けられ、分割線Ｌ５により領域を定められている。つまり、分割線Ｌ６は、請求項１における第１分割線に相当し、分割線Ｌ５は、請求項１における第２分割線に相当する。
分割線Ｌ５の第１凸部Ｌ５ｄは、第３リング部材２８の延びる方向に沿って設けられ、かつ軸方向から見て第３リング部材２８と重なるように設けられている。第２凸部Ｌ５ｆは、第１リング部材２５の延びる方向に沿って設けられ、かつ軸方向から見て第１リング部材２５と重なるように設けられている。つまり、第３リング部材２８は、請求項５における第２遮光部に相当するとともに、第３リング部材２８が囲う補助時刻情報表示部２２Ｃは、請求項５における第２表示部に相当する。また、第１リング部材２５は、請求項５における第３遮光部に相当するとともに、第１リング部材２５が囲う機能選択情報表示部２２Ａは、請求項５における第３表示部に相当する。そして、機能選択情報表示部２２Ａが表示する時計１が実行している機能等は、請求項５における第３機能に相当する。
【００７７】
また、分割線Ｌ５に着目する。ここで、分割線Ｌ５における内側直線部Ｌ５ａおよび第１凸部Ｌ５ｄを内側部と称する。分割線Ｌ５における第２凸部Ｌ５ｆおよび外側直線部Ｌ５ｇを外側部と称する。なお、連結部Ｌ５ｅは、内側部および外側部のいずれか一方に属するものとする。
分割線Ｌ５の内側部の一部は、第３リング部材２８の延びる方向に沿って設けられ、軸方向から見て第３リング部材２８と重なるように設けられている。分割線Ｌ５の外側部の一部は、第１リング部材２５の延びる方向に沿って設けられ、軸方向から見て第１リング部材２５と重なるように設けられている。また、分割線Ｌ５の内側部および外側部は、軸方向から見て可撓基板４１の中心部と外周部とを結ぶように連続している。つまり、分割線Ｌ５の内側部は、請求項６における第１分割線および第２分割線のいずれか一方に相当し、分割線Ｌ５の外側部は、請求項６における第１分割線および第２分割線のいずれか他方に相当する。
【００７８】
このように、本変形例では、分割線Ｌ５の第１凸部Ｌ５ｄは、第３リング部材２８の延びる方向に沿って設けられ、かつ軸方向から見て第３リング部材２８と重なるように設けられ、第２凸部Ｌ５ｆは、第１リング部材２５の延びる方向に沿って設けられ、かつ軸方向から見て第１リング部材２５と重なるように設けられている。
また、分割線Ｌ５の内側部は、軸方向から見て第３リング部材２８と重なるように設けられ、分割線Ｌ５の外側部は、軸方向から見て第１リング部材２５と重なるように設けられ、分割線Ｌ５の内側部および外側部は、軸方向から見て可撓基板４１の中心部から外周部を結ぶように連続している。
【００７９】
この構成によれば、分割線Ｌ５が第１リング部材２５および第３リング部材２８のそれぞれに軸方向から見て重なるので、分割線Ｌ５が例えば第３リング部材２８のみに軸方向から見て重なる構成と比較して、第１リング部材２５および第３リング部材２８によりソーラーパネル４０上に形成される影を分割線により多く重ねることができる。したがって、ソーラーパネル４０の受光面積をより大きくすることができ、ソーラーパネル４０の発電量を確保することができる。言い換えれば、これらリング部材２５，２８により遮光されない分割線Ｌ５の露出領域を可能な限り抑制することができる。よって、分割線による非発電領域の露出が抑えられ、発電効率を向上することができる。
【００８０】
［実施形態の第２変形例］
上述した実施形態では、分割線Ｌ４〜Ｌ６には、軸方向から見て滑らかに湾曲する箇所が設けられているが、これに限定されない。
図７は、実施形態の第２変形例のソーラーパネルを上方から見た平面図である。
図７に示すように、第４分割線Ｌ４における内側直線部Ｌ４ａおよび外側直線部Ｌ４ｃのそれぞれと凸部Ｌ４ｂとが接続する箇所は、軸方向から見て第１リング部材２５と重なる位置に設けられている。さらに、第４分割線Ｌ４における内側直線部Ｌ４ａおよび外側直線部Ｌ４ｃのそれぞれと凸部Ｌ４ｂとが接続する箇所は、軸方向から見て角張るように屈曲している。これにより、第４分割線Ｌ４のうち、軸方向から見て第１リング部材２５と重ならない部分の全体が放射状（径方向に沿う直線状）に延びている。
【００８１】
分割線Ｌ５における内側直線部Ｌ５ａおよび外側直線部Ｌ５ｃのそれぞれと凸部Ｌ５ｂとが接続する箇所の一部は、軸方向から見て第３リング部材２８と重なる位置に設けられている。さらに、分割線Ｌ５における内側直線部Ｌ５ａおよび外側直線部Ｌ５ｃのそれぞれと凸部Ｌ５ｂとが接続する箇所は、軸方向から見て角張るように屈曲している。
【００８２】
分割線Ｌ６において、凸部Ｌ６ｂの全体は、軸方向から見て第２リング部材２６と重なる位置において第２リング部材２６と同心の円弧状に延びている。そして、第６分割線Ｌ６における各曲げ部Ｌ６ｅ，Ｌ６ｆは、軸方向から見て第２リング部材２６と重なる位置に設けられている。また、外側クランク部Ｌ６ｄと外側直線部Ｌ６ｃとの接続部、および外側クランク部Ｌ６ｄの中間部分は、それぞれ軸方向から見て角張るように屈曲している。これにより、第６分割線Ｌ６のうち、軸方向から見て第２リング部材２６と重ならない部分の全体が直線状に延びている。
【００８３】
この構成によれば、上述した実施形態の構成における効果に加え、分割線Ｌ４〜Ｌ６のうち軸方向から見て遮光部材３１と重ならない部分のほぼ全体が直線状となるので、文字板２０を介してソーラーパネル４０が視認された際の見栄えの低下を抑制され、装飾性を向上させることができる。特に第４分割線Ｌ４は、第１リング部材２５と重ならない部分の全体が放射状に延びているので、文字板２０を介してソーラーパネル４０が視認された際の見栄えの低下が抑制され、装飾性をより向上させることができる。
【００８４】
なお、本発明は、図面を参照して説明した上述の実施形態に限定されるものではなく、その技術的範囲において様々な変形例が考えられる。
例えば、上記実施形態においては、ソーラーパネル４０が６個のソーラーセル４２Ａ〜４２Ｆを備えているが、ソーラーセルの個数は複数であれば特に限定されない。
【００８５】
また、上記実施形態においては、第１リング部材２５は、円環状に形成されて機能選択情報表示部２２Ａの全体を囲っているが、これに限定されない。第１リング部材は、例えばＣ字状に形成されて機能選択情報表示部２２Ａの一部を囲っていてもよい。第２リング部材２６および第３リング部材２８についても同様である。
【００８６】
その他、本発明の趣旨を逸脱しない範囲で、上記した実施の形態における構成要素を周知の構成要素に置き換えることは適宜可能であり、また、上述した実施形態および変形例を適宜組み合わせてもよい。
【符号の説明】
【００８７】
１…時計  ５ａ…時針（指針）  ５ｂ…分針（指針）  ５ｃ…秒針（指針）  ２２Ａ…機能選択情報表示部（第２表示部、第３表示部）  ２２Ｂ…副時刻情報表示部（第１表示部）  ２２Ｃ…補助時刻情報表示部（第１表示部、第２表示部）  ２３…目盛り  ２５…第１リング部材（第２遮光部、第３遮光部）  ２６…第２リング部材（第１遮光部）  ２８…第３リング部材（第１遮光部、第２遮光部）  ４０…ソーラーパネル（発電部）  ４１…可撓基板  ４２Ｃ…ソーラーセル（第２セル）  ４２Ｄ…ソーラーセル（第１セル、第２セル）  ４２Ｅ…ソーラーセル（第１セル）  ４３…接続部  ５１…内側分割線結合部（分割線結合部）  Ｌ４…分割線（第２分割線）  Ｌ４ｂ…凸部（第２凸部）  Ｌ５…分割線（第１分割線、第２分割線）  Ｌ５ｂ…凸部（第１凸部、第２凸部）  Ｌ６…分割線（第１分割線）  Ｌ６ｂ…凸部（第１凸部）  Ｌ６ｅ…第１曲げ部（曲げ部）  Ｌ６ｆ…第２曲げ部（曲げ部）
【図１】
2019020267.tif 000003
【図２】
2019020267.tif 000004
【図３】
2019020267.tif 000005
【図４】
2019020267.tif 000006
【図５】
2019020267.tif 000007
【図６】
2019020267.tif 000008
【図７】
2019020267.tif 000009